(57)【要約】【課題】水洗トイレにおける洗浄水の無駄を低減可能な便器装置を提供する。【解決手段】便器装置１０は、大便器１１に起伏可能に設置された便座１２および便蓋１３と、大便器１１へ洗浄水を供給する便器洗浄装置と、便座１２に着座した使用者の有無を検知する着座検知センサと、大便器１１に洗浄水を供給する制御信号を便器洗浄装置へ送信する制御部と、便器装置１０を操作するリモコン方式の操作部と、を備えている。制御部は、洗浄水量が異なる複数の洗浄モードのうちのいずれか一つを選択する機能を有し、着座検知センサの検知信号から便座１２への使用者の着座時間を検出し、その着座時間に基づいて選択した洗浄モードに応じた制御信号を便器洗浄装置へ送信して便器洗浄を実行させる。そして、制御部が洗浄水量の多い洗浄モードを選択したことを報知する報知手段と、使用者が洗浄モードを手動で選択可能な手動切替手段と、を設けている。【選択図】図１
2008063797.tif 000002
【特許請求の範囲】
【請求項１】
大便器および前記大便器に設置された便座と、
前記大便器に洗浄水を供給する便器洗浄装置と、
前記便座に着座した使用者の有無を検知する着座検知センサと、
前記大便器に洗浄水を供給する制御信号を前記便器洗浄装置へ送信する制御部と、を備え、
前記制御部は、前記大便器へ供給する洗浄水量が異なる複数の洗浄モードのうちのいずれか一つを選択する機能を有し、前記着座検知センサの検知信号から前記便座への使用者の着座時間を検出し、前記着座時間の長短に基づいて選択した前記洗浄モードに応じた制御信号を前記便器洗浄装置へ送信して便器洗浄を実行させる便器装置において、
前記制御部が選択した前記洗浄モードを使用者に報知する報知手段と、複数の前記洗浄モードのうちのいずれかを使用者が手動で選択可能な手動切替手段と、を設けたことを特徴とする便器装置。
【請求項２】
前記報知手段として、前記制御部が選択した前記洗浄モードを使用者に目視で識別させるための表示部を設けたことを特徴とする請求項１記載の便器装置。
【請求項３】
大便器および前記大便器に設置された便座と、
前記大便器に洗浄水を供給する便器洗浄装置と、
前記便座に着座した使用者の有無を検知する着座検知センサと、
前記大便器に洗浄水を供給する制御信号を前記便器洗浄装置へ送信する制御部と、を備え、
前記制御部は、前記大便器へ供給する洗浄水量が異なる複数の洗浄モードのうちのいずれか一つを選択する機能を有し、前記着座検知センサの検知信号から前記便座への使用者の着座時間を検出し、前記着座時間の長短に基づいて選択した前記洗浄モードに応じた制御信号を前記便器洗浄装置へ送信して便器洗浄を実行させる便器装置において、
前記制御部が洗浄水量の多い前記洗浄モードを選択した場合、当該洗浄モードが選択されたことを報知する報知手段と、複数の前記洗浄モードのうちのいずれかを使用者が手動で選択可能な手動切替手段と、を設けたことを特徴とする便器装置。
【請求項４】
前記手動切替手段が選択した前記洗浄モードに基づき前記制御部が当該洗浄モードに応じた制御信号を前記便器洗浄装置へ送信して便器洗浄を実行させることを特徴とする請求項１〜３のいずれかに記載の便器装置。
【発明の詳細な説明】
【技術分野】
【０００１】
本発明は、用便後の便器洗浄を行う便器装置に関する。
【背景技術】
【０００２】
近年、水洗トイレにおける洗浄水の要請が高まり、洗浄水の無駄を低減する工夫が施された便器装置が開発されている。このような便器装置として、便器使用者の有無（便器前の人体の有無）、便座への着座時間、便座の開閉姿勢を検知し、これらの情報に基づいて便器の使用目的が大用か小用であるかを判別して、便器洗浄水量を変更するオート洗浄機能付き便器装置が提案されている（例えば、特許文献１参照）。この便器装置は、便器の使用目的（大用、小用）を検知して、目的に合った洗浄水量を選択して自動的に便器洗浄を行うので便利である。
【０００３】
一方、大便器がオート洗浄を実行するモードになっているかどうかを報知する表示手段を備えた便器装置も提案されている（例えば、特許文献２参照。）。
【０００４】
【特許文献１】特開２００１−３４２６６２号公報
【特許文献２】特開２００４−２８５７６７号公報
【発明の開示】
【発明が解決しようとする課題】
【０００５】
水洗トイレにおいて便器洗浄に使用される水量は、ここ数年、大用で８リットル、小用で６リットルになっており、大小の違いで２リットルの差がある。ところが、特許文献１記載の便器装置は、使用者が便座に座った場合に、着座時間の長短を検知して大用と小用を判別しているので、実際には小用であっても、便座に長く座っていると大用であると判別して大用洗浄水を供給してしまうため、必要以上の洗浄水が流されてしまい、洗浄水の無駄が生じている。
【０００６】
一方、特許文献２記載の便器装置は、オート洗浄（自動洗浄）モードになっているか否かを報知するのみであり、複数の洗浄モードにうちのいずれの洗浄モードが選択されているかを報知するものではない。
【０００７】
そこで、本発明は、水洗トイレにおける洗浄水の無駄を低減可能な便器装置を提供することにある。
【課題を解決するための手段】
【０００８】
本発明の便器装置は、
大便器および前記大便器に設置された便座と、
前記大便器に洗浄水を供給する便器洗浄装置と、
前記便座に着座した使用者の有無を検知する着座検知センサと、
前記大便器に洗浄水を供給する制御信号を前記便器洗浄装置へ送信する制御部と、を備え、
前記制御部は、前記大便器へ供給する洗浄水量が異なる複数の洗浄モードのうちのいずれか一つを選択する機能を有し、前記着座検知センサの検知信号から前記便座への使用者の着座時間を検出し、前記着座時間の長短に基づいて選択した前記洗浄モードに応じた制御信号を前記便器洗浄装置へ送信して便器洗浄を実行させる便器装置において、
前記制御部が選択した前記洗浄モードを使用者に報知する報知手段と、複数の前記洗浄モードのうちのいずれかを使用者が手動で選択可能な手動切替手段と、を設けたことを特徴とする。
【０００９】
このような構成とすれば、使用者は、制御部が選択した洗浄モードを報知手段で知ることができるため、実際の用便形態と異なる洗浄モードが選択されていることが報知された場合、使用者は手動切替手段を操作して適切な洗浄モードに切り替えることにより、用便形態に応じた最適な洗浄水量で便器洗浄を実行させることができる。このため、必要以上の分量の洗浄水が供給されるのを回避することが可能となり、洗浄水の無駄を低減することができる。
【００１０】
ここで、前記報知手段として、前記制御部が選択した前記洗浄モードを使用者に目視で識別させるための表示部を設けることが望ましい。このような構成とすれば、使用者は、制御部が選択した洗浄モードを目視によって容易に把握し、洗浄モードの切替が必要であるか否かを即時に判断することができるため、洗浄水の無駄をさらに低減することができる。
【００１１】
また、本発明の便器装置は、
大便器および前記大便器に設置された便座と、
前記大便器に洗浄水を供給する便器洗浄装置と、
前記便座に着座した使用者の有無を検知する着座検知センサと、
前記大便器に洗浄水を供給する制御信号を前記便器洗浄装置へ送信する制御部と、を備え、
前記制御部は、前記大便器へ供給する洗浄水量が異なる複数の洗浄モードのうちのいずれか一つを選択する機能を有し、前記着座検知センサの検知信号から前記便座への使用者の着座時間を検出し、前記着座時間の長短に基づいて選択した前記洗浄モードに応じた制御信号を前記便器洗浄装置へ送信して便器洗浄を実行させる便器装置において、
前記制御部が洗浄水量の多い前記洗浄モードを選択した場合、当該洗浄モードが選択されたことを報知する報知手段と、複数の前記洗浄モードのうちのいずれかを使用者が手動で選択可能な手動切替手段と、を設けたことを特徴とする。
【００１２】
このような構成とすれば、制御部が大洗浄モードを選択したときは、そのことを報知手段で知ることができるため、小用のときに大洗浄モードが選択されていることを報知された場合、使用者は手動切替手段を操作して小洗浄モードに切り替え、小洗浄の水量で便器洗浄を実行させることができる。このため、実際は小用であるにもかかわらず、大洗浄水量が供給されるのを回避することが可能となり、洗浄水の無駄を低減することができる。
【００１３】
一方、前記手動切替手段が選択した前記洗浄モードに基づき前記制御部が当該洗浄モードに応じた制御信号を前記便器洗浄装置へ送信して便器洗浄を実行させることもできる。
【００１４】
このような構成とすれば、制御部の機能を利用して手動切替手段による洗浄モードの選択を行うことが可能となるため、機構の複雑化を回避しながら、洗浄水の無駄を低減することができる。
【発明の効果】
【００１５】
本発明により、水洗トイレにおける洗浄水の無駄を低減可能な便器装置を提供することができる。
【発明を実施するための最良の形態】
【００１６】
以下、図面に基づいて、本発明の実施の形態について説明する。図１は本発明の第１実施形態である便器装置を示す斜視図、図２は図１の一部拡大図、図３は図１に示す便器装置の操作部を示す斜視図、図４は図１に示す便器装置の本体部の内部構造を示す斜視図、図５は図１に示す便器装置の構成を示すブロック図、図６は図１に示す便器装置の垂直断面図、図７は図１に示す便器装置の動作状態を示すフローチャートである。
【００１７】
図１〜図４に示すように、便器装置１０は、大便器１１に起伏可能に設置された便座１２および便蓋１３と、大便器１１のボウル部１１ａ内へ洗浄水を供給する便器洗浄装置１４と、便座１２に着座した使用者の有無を検知する着座検知センサ１５と、大便器１１のボウル１１ａ内へ洗浄水を供給する制御信号を便器洗浄装置１４へ送信する制御部１６と、便器装置１０を操作するリモコン方式の操作部１７と、を備えている。着座検知センサ１５および制御部１６は、大便器１１の後部上面に設置された本体部１０ａ内に設けられている。本体部１０ａの後縁部分には光表示部１９が配置され、本体部１０ａ内には、大便器１１のボウル部１１ａ内に向かって進退可能な局部洗浄機構１８が配置されている。
【００１８】
図３，図５に示すように、操作部１７は、局部洗浄スイッチ１７ａ、便座便蓋開閉スイッチ１７ｂ、大洗浄キャンセルスイッチ１７ｃ、大洗浄スイッチ１７ｄ、小洗浄スイッチ１７ｅ、止スイッチ１７ｍ、光表示部１７ｇ、リモコン信号送信部１７ｆ、信号受信部１７ｈおよびリモコン制御部１７ｊを備えている。また、図５に示すように、制御部１６は、人体検知センサ２０、着座検知センサ１５、便蓋開閉センサ２１、便座開閉センサ２２および信号受信部２３から送られる信号に応じて、報知手段（光表示部）１９、便蓋開閉装置２５、便座開閉装置２６、局部洗浄機構１８および便器洗浄装置１４を制御し、さらに信号送信部２４から信号受信部１７ｈへ信号を送信可能としている。
【００１９】
制御部１６は、大便器１１へ供給する洗浄水量が異なる二つの洗浄モードである「大洗浄モード」、「小洗浄モード」のいずれか一つを選択する機能を有している。即ち、着座検知センサ１５が検知した信号から便座１２への使用者の着座時間を検出し、この着座時間の長短に基づいて制御部１６が「大洗浄モード」または「小洗浄モード」のいずれか一つを選択し、選択された洗浄モードに応じた制御信号を便器洗浄装置１４へ送信して大便器１１の洗浄が実行される。また、選択された洗浄モードに応じた信号を、信号送信部２４から信号受信部１７ｈに送信する。
【００２０】
制御部１６が選択した洗浄モードを使用者に報知するための報知手段として、本体部１０ａ後縁部分に配置された光表示部１９および操作部１７の前面に配置された光表示部１７ｇが設けられ、使用者が洗浄モードの種類を目視で識別可能となっている。また、「大洗浄モード」または「小洗浄モード」のいずれか一つを使用者が手動で選択可能な手動切替手段として、大洗浄スイッチ１７ｄ、小洗浄スイッチ１７ｅが操作部１６に設けられている。さらに、「大洗浄モード」が選択された場合に、それを解除するための大洗浄キャンセルスイッチ１７ｃが設けられている。制御部１６が「小洗浄モード」を選択しているときは、本体部１０ａの光表示部１９および操作部１７の光表示部１７ｇは消灯状態にあるが、「大洗浄モード」が選択されると、図３，図６に示すように、光表示部１９および光表示部１７ｇが点灯する。なお、洗浄モードの報知手段はこれらに限定しないので、例えば、選択された洗浄モードを文字で表示する液晶表示部あるいは音声で知らせる音声表示部などを操作部１７に設けることもできる。また、洗浄モードの報知手段として、操作部１７の光表示部１７ｇもしくは本体部１０ａの光表示部１９のいずれか一方のみを設けることもできる。
【００２１】
ここで、図７に基づいて、便器装置１０の動作について説明する。電源スイッチ（図示なし）を押圧すると電源オンの状態となる（ステップ１００）。図５に示す着座検知センサ１５によって便器使用開始か否かの判断が行われ（ステップ１０１）、着座検知センサ１５が使用者を検知するとタイマーＴ１がセットされ（ステップ１０２）、着座時間の計測が開始される。タイマーＴ１がタイムアップ（ステップ１０４）する前に便器使用が終了すると（ステップ１０３）、制御部１６が「小洗浄モード」を選択するとともに洗浄時間Ｔ２が「小洗浄モード」に設定され（ステップ１０５）、自動洗浄開始ディレイＴ３がセットされる（ステップ１０６）。自動洗浄開始ディレイＴ３がタイムアップすると（ステップ１０７）、便器洗浄開始タイマーＴ２がセットされ（ステップ１０８）、便器洗浄が実行される。そして、便器洗浄開始タイマーＴ２がタイムアップすると（ステップ１０９）、便器洗浄が終了する（ステップ１２０）。
【００２２】
一方、使用者が着座した後、タイマーＴ１がタイムアップ（ステップ１０４）した時点で便器使用が終了していない場合、制御部１６は「大洗浄モード」を選択し（ステップ１１０）、光表示部１９および光表示部１７ｇのＬＥＤが点灯する（ステップ１１１）。この後、便器使用が終了すると（ステップ１１２）、自動洗浄開始ディレイＴ３がセットされる（ステップ１１３）。この時点で、制御部１６によって選択された「大洗浄モード」が使用者にとって不適切である場合、使用者は図３に示す操作部１７の大洗浄キャンセルスイッチ１７ｃを操作して、洗浄モードを「小洗浄モード」に切り替えることができる（ステップ１１４）。
【００２３】
大洗浄キャンセルスイッチ１７ｃが操作されると、光表示部１９および光表示部１７ｇのＬＥＤが消灯し（ステップ１１５）、洗浄時間Ｔ２が「小洗浄モード」に設定される（ステップ１１６）。この後、自動洗浄開始ディレイＴ３がタイムアップすると、前述したステップ１０７以降の工程が実行される。
【００２４】
一方、選択された「大洗浄モード」が使用者にとって適切であれば、大洗浄キャンセルスイッチ１７ｃは操作されないので（ステップ１１４）、自動洗浄開始ディレイＴ３がタイムアップすると（ステップ１１７）、便器洗浄が開始され、光表示部１９および光表示部１７ｇのＬＥＤが消灯するとともにタイマーＴ２がセットされる（ステップ１１８）。そして、タイマーＴ２がタイムアップすると（ステップ１１９）、便器洗浄が終了する（ステップ１２０）。
【００２５】
便器装置１０において、使用者は、制御部１６が「大洗浄モード」を選択したことを報知手段である光表示部１９および光表示部１７ｇの点灯で知ることができる。このため、小用のときに「大洗浄モード」が選択されていることを報知された場合、使用者は手動切替手段である大洗浄キャンセルスイッチ１７ｃを操作して「小洗浄モード」に切り替えることにより、小洗浄の水量で便器洗浄を実行させることができる。このため、実際は小用であるにもかかわらず、大洗浄水量が供給されるのを回避することが可能となり、洗浄水の無駄を低減することができる。
【００２６】
本実施形態においては、「大洗浄モード」が選択されたときの洗浄水量を８リットル、「小洗浄モード」が選択されたときの洗浄水量を６リットルに設定し、洗浄水量の設定は便器洗浄装置１４に設けられた開閉弁（図示せず）の開放時間の長短を調節することによって行っているが、これらに限定するものではない。また、洗浄モードの手動切替手段とし大洗浄キャンセルスイッチ１７ｃを設けているが、これと同じ機能を小洗浄スイッチ１７ｅに持たせることもできる。
【００２７】
次に、図８〜図１３に基づいて、本発明の第２実施形態について説明する。図８は本発明の第２実施形態である便器装置を示す斜視図、図９，図１０は図８に示す便器装置を構成する光表示部付近を示す垂直断面図、図１１は図８に示す便器装置を構成する光表示部を示す斜視図、図１２は図１１に示す光表示部の分解斜視図、図１３は図８に示す便器装置の動作状態を示すフローチャートである。なお、図８〜図１３において、図１〜図７に示す符号と同符号を付している部分は前述した便器装置１０の構成部分と同じ構造、機能を有する部分であり、説明を省略する。
【００２８】
図８に示すように、本実施形態の便器装置３０は、大便器１１に設置された便座１２および便蓋１３と、大便器１１のボウル部１１ａ内に洗浄水を供給する便器洗浄装置と、便座１２に着座した使用者の有無を検知する着座検知センサ１５と、大便器１１に洗浄水を供給する制御信号を便器洗浄装置へ送信する制御部と、を備えている。便器洗浄装置、着座検知センサおよび制御部は本体部３０ａ内に配置されている。制御部は、大便器１１のボウル部１１ａ内へ供給する洗浄水量が異なる複数の洗浄モード（大洗浄モード、小洗浄モード）のうちのいずれか一つを選択する機能を有している。そして、着座検知センサ１５の検知信号から便座１２への使用者の着座時間を検出し、着座時間の長短に基づいて選択した洗浄モードに応じた制御信号を便器洗浄装置へ送信して便器洗浄を実行させる。
【００２９】
また、使用者の着座時間の長短に基づいて制御部が選択した洗浄モードを使用者に報知する報知手段として、大洗浄モードが選択されると青色に発光し、小洗浄モードが選択されると緑色に発光する光表示部３９が本体部３０ａの後縁部分に配置されている。さらに、複数の洗浄モード（大洗浄モード、小洗浄モード）のうちのいずれかを使用者が手動で選択可能な手動切替手段として、図３で示した、リモコン方式の操作部１７が設けられている。
【００３０】
図９に示すように便蓋１３が閉止状態にあるとき、光表示部３９は、便蓋１３の後縁部分の後方に現れ、図１０に示すように便蓋１３が開放状態にあるとき、光表示部３９は便蓋１３の後縁部分の内側に現れる。このため、便蓋１３が閉止、開放のいずれの状態にあっても使用者は光表示部３９の発光色を目視確認することができる。
【００３１】
図１１に示すように、光表示部３９は一体化されたユニット構造をなしており、図１２に示すように、青色ＬＥＤ４０ｂ、緑色ＬＥＤ４０ｇおよび赤色ＬＥＤ４０ｒと、コネクタ４０ｃと、が実装されたプリント基板３９ｅと、プリント基板３９ｅを覆うように装着されるホルダ３９ｄと、ホルダ３９ｄ表面から突出する３個のＬＥＤ（青色ＬＥＤ４０ｂ、緑色ＬＥＤ４０ｇ、赤色ＬＥＤ４０ｒ）の光を拡散させるレンズ３９ｃと、透光部材３９ａと、を備えている。ホルダ３９ｄには、３個のＬＥＤ（青色ＬＥＤ４０ｂ、緑色ＬＥＤ４０ｇ、赤色ＬＥＤ４０ｒ）を挿通させる３個の貫通孔３９ｈが設けられ、両端の貫通孔３９ｈにはそれぞれ、レンズ３９ｃを固定するための一対のレンズ保持部３９ｇが対向配置されている。また、ホルダ３９ｄを本体部３０ａ内にネジ（図示せず）で固定するため、その外周には複数の固定部３９ｆが設けられている。
【００３２】
図９，図１０に示すように、光表示部３９は本体部３０ａ内にパッキン３９ｂを介して取り付けられ、光表示部３９の透光部材３９ａの上面に突設された突出部３９ｉの表面が本体部３０ａの取付孔３０ｂから露出するように固定されている。
【００３３】
ここで、図１３に基づいて、便器装置３０の動作について説明する。電源スイッチ（図示なし）を押圧すると電源オンの状態となる（ステップ２００）。図５に示す着座検知センサ１５によって便器使用開始か否かの判断が行われ（ステップ２０１）、着座検知センサ１５が使用者を検知するとタイマーＴ１がセットされ（ステップ２０２）、着座時間の計測が開始されるとともに、光表示部３９の青色ＬＥＤ４０ｂが点灯する（ステップ２０３）。タイマーＴ１がタイムアップ（ステップ２０５）する前に便器使用が終了すると（ステップ２０４）、制御部１が「小洗浄モード」を選択するとともに洗浄時間Ｔ２が「小洗浄モード」に設定され（ステップ２０６）、自動洗浄開始ディレイＴ３がセットされる（ステップ２０８）。
【００３４】
自動洗浄開始ディレイＴ３がタイムアップすると（ステップ２０９）、便器洗浄開始タイマーＴ２がセットされ便器洗浄が実行されるとともに、光表示部３９の青色ＬＥＤ４０ｂが消灯する（ステップ２１０）。そして、便器洗浄開始タイマーＴ２がタイムアップすると（ステップ２１１）、便器洗浄が終了する（ステップ２２０）。
【００３５】
一方、使用者が着座した後、タイマーＴ１がタイムアップ（ステップ２０５）した時点で便器使用が終了していない場合、制御部１６は「大洗浄モード」を選択し（ステップ２１２）、光表示部３９の青色ＬＥＤ４０ｂが消灯して、緑色ＬＥＤ４０ｇが点灯する（ステップ２１３）。この後、便器使用が終了すると（ステップ２１４）、自動洗浄開始ディレイＴ３がセットされる（ステップ２１５）。この時点で、制御部１６によって選択された「大洗浄モード」が使用者にとって不適切である場合、使用者は図３に示す操作部１７の大洗浄キャンセルスイッチ１７ｃを操作して洗浄モードを「小洗浄モード」に切り替えることができる（ステップ２１６）。
【００３６】
大洗浄キャンセルスイッチ１７ｃが操作されると、洗浄時間Ｔ２が「小洗浄モード」に設定され光表示部３９の緑色ＬＥＤ４０ｇが消灯して青色ＬＥＤ４０ｂが点灯する（ステップ２１８）。この後、自動洗浄開始ディレイＴ３がタイムアップすると、前述したステップ２１０以降の工程が実行される。
【００３７】
一方、選択された「大洗浄モード」が使用者にとって適切であれば、大洗浄キャンセルスイッチ１７ｃは操作されないので（ステップ２１６）、自動洗浄開始ディレイＴ３がタイムアップすると（ステップ２１７）、便器洗浄が開始され、光表示部３９の緑色ＬＥＤ４０ｇが消灯するとともにタイマーＴ２がセットされる（ステップ２１８）。そして、タイマーＴ２がタイムアップすると（ステップ２１９）、便器洗浄が終了する（ステップ２２０）。
【００３８】
便器装置３０の場合、使用者は、制御部１６が「大洗浄モード」を選択したことを報知手段である光表示部３９の緑色ＬＥＤ４０ｇが点灯することによって知ることができる。このため、小用のときに「大洗浄モード」が選択されていることを報知された場合、使用者は手動切替手段である大洗浄キャンセルスイッチ１７ｃを操作して「小洗浄モード」に切り替えることにより、小洗浄の水量で便器洗浄を実行させることができる。このため、実際は小用であるにもかかわらず、大洗浄水量が供給されるのを回避することが可能となり、洗浄水の無駄を低減することができる。
【００３９】
また、使用者は、制御部１６が選択した洗浄モードを光表示部３９を目視することによって容易に把握し、洗浄モードの切替が必要であるか否かを即時に判断することができるため、洗浄水の無駄を大幅に低減することができる。
【００４０】
本実施形態においては、洗浄水量の設定は便器洗浄装置１４に設けられた開閉弁（図示せず）の開放時間の長短を調節することによって行っているが、これらに限定するものではない。また、洗浄モードの手動切替手段とし大洗浄キャンセルスイッチ１７ｃを設けているが、これと同じ機能を小洗浄スイッチ１７ｅに持たせることもできる。
【００４１】
本実施形態においては、以下のような変形例として実施することもできる。この変形例においては、制御部は、大便器１１のボウル部１１ａ内へ供給する洗浄水量が異なる複数の洗浄モード（大洗浄モード、中洗浄モード、小洗浄モード）のうちのいずれか一つを選択する機能を有している。「大洗浄モード」は便座１２に比較的長時間座ったときに選択されて洗浄水量を８リットルとする洗浄モードであり、「中洗浄モード」は便座１２に比較的短時間座ったときに選択されて洗浄水量を６リットルとする洗浄モードであり、「小洗浄モード」は便座１２に座らなかったときに選択されて洗浄水量を４．５リットルとする洗浄モードである。そして、便座１２に座ったときに選択可能な洗浄モード（大洗浄モード、中洗浄モード）をそれぞれ緑色ＬＥＤ４０ｇ、青色ＬＥＤ４０ｂの点灯によって報知する。大洗浄キャンセルスイッチ１７ｃを操作したときは「中洗浄モード」に切り替わり、光表示部３９の青色ＬＥＤ４０ｂが点灯し、ステップ２１７以降の工程が実行されるような構成とすることもできる。
【００４２】
次に、図１４に基づいて、本発明の第３実施形態について説明する。図１４は本発明の第３実施形態である便器装置を示す斜視図である。なお、図１４において、図１〜図７に示す符号と同符号を付している部分は前述した便器装置１０の構成部分と同じ構造、機能を有する部分であり、説明を省略する。
【００４３】
図１４に示すように、本実施形態の便器装置５０は、大便器１１の後部上面に、便器洗浄装置を内蔵した洗浄水タンク５１を備えている。前述した便器装置１０，３０と同様、便器装置５０は、本体部５０ａ内に設けられた着座検知センサの検知信号から便座１２への使用者の着座時間を検出し、制御部は前記着座時間の長短に基づいて選択した洗浄モードに応じた制御信号を便器洗浄装置へ送信して便器洗浄を実行する。また、制御部が選択した洗浄モードを使用者に報知する報知手段として光表示部５９が設けられ、複数の洗浄モード（大洗浄モード、小洗浄モード）のうちのいずれかを使用者が手動で選択可能な手動切替手段として、洗浄水タンク５１の側面に切替ハンドル５２が設けられている。
【００４４】
便器装置５０の場合、使用者は、制御部１６が「大洗浄モード」を選択したことを報知手段である光表示部５９が点灯することによって知ることができる。このため、小用のときに「大洗浄モード」が選択されていることを報知された場合、使用者は手動切替手段である切替ハンドル５２を操作して「小洗浄モード」に切り替えて洗浄することができる。従って、実際は小用であるにもかかわらず、大洗浄水量が供給されるのを回避することが可能となり、洗浄水の無駄を低減することができる。
【産業上の利用可能性】
【００４５】
本発明の便器装置は、一般住宅や公共施設の水洗トイレにおいて広く利用することができる。
【図面の簡単な説明】
【００４６】
【図１】本発明の第１実施形態である便器装置を示す斜視図である。
【図２】図１の一部拡大図である。
【図３】図１に示す便器装置の操作部を示す斜視図である。
【図４】図１に示す便器装置の本体部の内部構造を示す斜視図である。
【図５】図１に示す便器装置の構成を示すブロック図である。
【図６】図１に示す便器装置の垂直断面図である。
【図７】図１に示す便器装置の動作を示すフローチャートである。
【図８】本発明の第２実施形態である便器装置を示す斜視図である。
【図９】図８に示す便器装置を構成する光表示部付近を示す垂直断面図である。
【図１０】図８に示す便器装置を構成する光表示部付近を示す垂直断面図である。
【図１１】図８に示す便器装置を構成する光表示部を示す斜視図である。
【図１２】図１１に示す光表示部の分解斜視図である。
【図１３】図８に示す便器装置の動作を示すフローチャートである。
【図１４】本発明の第３実施形態である便器装置を示す斜視図である。
【符号の説明】
【００４７】
１０，３０，５０  便器装置
１０ａ，３０ａ，５０ａ  本体部
１１  大便器
１１ａ  ボウル部
１２  便座
１３  便蓋
１４  便器洗浄装置
１５  着座検知センサ
１６  制御部
１７  操作部
１７ａ  局部洗浄スイッチ
１７ｂ  便座便蓋開閉スイッチ
１７ｃ  大洗浄キャンセルスイッチ
１７ｄ  大洗浄スイッチ
１７ｅ  小洗浄スイッチ
１７ｆ  リモコン信号送信部
１７ｇ，１９，３９，５９  光表示部
１７ｈ  信号受信部
１７ｊ  リモコン制御部
１７ｍ  止スイッチ
１８  局部洗浄機構
２０  人体検知センサ
２１  便蓋開閉センサ
２２  便座開閉センサ
２３  リモコン信号受信部
２４  信号送信部
２５  便蓋開閉装置
２６  便座開閉装置
３０ｂ  取付孔
３９ａ  透光部材
３９ｂ  パッキン
３９ｃ  レンズ
３９ｄ  ホルダ
３９ｅ  プリント基板
３９ｆ  固定部
３９ｇ  レンズ保持部
３９ｈ  貫通孔
３９ｉ  突出部
４０ｃ  コネクタ
４０ｂ  青色ＬＥＤ
４０ｇ  緑色ＬＥＤ
４０ｒ  赤色ＬＥＤ
５１  洗浄水タンク
５２  切替ハンドル
【図１】
2008063797.tif 000003
【図２】
2008063797.tif 000004
【図３】
2008063797.tif 000005
【図４】
2008063797.tif 000006
【図５】
2008063797.tif 000007
【図６】
2008063797.tif 000008
【図７】
2008063797.tif 000009
【図８】
2008063797.tif 000010
【図９】
2008063797.tif 000011
【図１０】
2008063797.tif 000012
【図１１】
2008063797.tif 000013
【図１２】
2008063797.tif 000014
【図１３】
2008063797.tif 000015
【図１４】
2008063797.tif 000016